(57)【要約】【課題】使用寿命を延長することができるバックライト装置及びその制御方法を提供する。【解決手段】本発明によるバックライト装置は制御ユニット、バックライト駆動ユニット、第一の光源モジュールと第二の光源モジュールを含み、そのうち、バックライト駆動ユニットは、制御ユニットにより制御され、光源モジュールをオンまたはオフにさせる駆動指定を発する。これにより、時間区間、電源起動回数等の所定値に基づいて第一、第二の光源モジュールをオンまたはオフし、或いは、輝度不足の時に第二の光源モジュールでその輝度不足を補償し、全体の輝度を所定の範囲内に維持させることにより、バックライト装置の使用寿命を延長することができる。【選択図】図２
2007273462.tif 000002
【特許請求の範囲】
【請求項１】
制御ユニットと、
前記制御ユニットに電気的に接続され、前記制御ユニットにより制御されて駆動指令を発するバックライト駆動ユニットと、
前記バックライト駆動ユニットに電気的に接続され、前記駆動指令により駆動されてパワーオンまたはパワーオフされる第一の光源モジュールと、
前記バックライト駆動ユニットに電気的に接続され、前記駆動指令により駆動されてパワーオンまたはパワーオフされる第二の光源モジュールと、
を含み、
前記制御ユニットは、所定値により前記バックライト駆動ユニットに前記駆動指令を発させ、前記第一の光源モジュール及び前記第二の光源モジュールを順番に駆動させる、
バックライト装置。
【請求項２】
前記所定値は、時間区間の幅であり、
前記制御ユニットは、電力の供給時間を計時し計時結果を生成するタイマーを含み、
前記計時結果が前記所定値の奇数倍である場合、前記バックライト駆動ユニットを制御し、前記第一の光源モジュールをパワーオンに、前記第二の光源モジュールをパワーオフにする前記駆動指令を発させ、
前記計時結果が前記所定値の偶数倍である場合、前記バックライト駆動ユニットを制御し、前記第二の光源モジュールをパワーオンに、前記第一の光源モジュールをパワーオフにする前記駆動指令を発させる、
請求項１に記載のバックライト装置。
【請求項３】
前記制御ユニットに電気的に接続される記憶ユニットと入力ユニットがさらに含まれ、
前記入力ユニットは、使用者により前記所定値を入力するために用いられ、当該所定値は、前記制御ユニットにより前記記憶ユニットに記憶される、
請求項２に記載のバックライト装置。
【請求項４】
前記所定値は、計数結果であり、
前記制御ユニットは、電源の起動回数を計数し前記計数結果を生成するカウンターを含み、
前記計数結果が奇数である場合、前記バックライト駆動ユニットを制御し、前記第一の光源モジュールをパワーオンに、前記第二の光源モジュールをパワーオフにする前記駆動指令を発させ、
前記計数結果が偶数である場合、前記バックライト駆動ユニットを制御し、前記第二の光源モジュールをパワーオンに、前記第一の光源モジュールをパワーオフにする前記駆動指令を発させる、
請求項１に記載のバックライト装置。
【請求項５】
前記バックライト駆動ユニットは、前記第一の光源モジュールと前記第二の光源モジュールをそれぞれ駆動する複数のバックライト駆動器からなる、
請求項１に記載のバックライト装置。
【請求項６】
バックライト駆動ユニット、第一の光源モジュール、第二の光源モジュール及び制御ユニットを含み、当該制御ユニットは電力の供給時間を計時し計時結果を生成するタイマーを有し、当該バックライト駆動ユニットは当該第一の光源ユニットと当該第二の光源ユニットを駆動するバックライト装置の制御方法であって、
第一回の電源起動を測定し、前記タイマーにより前記電力の供給時間を計時し計時結果を生成するＡステップと、
時間区間の幅の所定値を取得するＢステップと、
前記計時結果が前記所定値の倍数に達したことを測定するＣステップと、
前記計時結果が前記所定値の奇数倍または偶数倍であるかを判断し、奇数倍である場合、Ｅステップに進み、偶数倍である場合、Ｆステップに進むＤステップと、
前記第一の光源モジュールをパワーオンに、前記第二の光源モジュールをパワーオフにする駆動指令を発させるＥステップと、
前記第二の光源モジュールをパワーオンに、前記第一の光源モジュールをパワーオフにする駆動指令を発させるＦステップと、
を含む、
バックライト装置の制御方法。
【請求項７】
電力供給が停止したと判断したときに、タイマーによる計時が一旦停止するＧステップと、
次回の電源起動を測定し、タイマーに継続に累計計時させ、Ｃステップに進むＨステップと、
をさらに含む、
請求項６に記載のバックライト装置の制御方法。
【請求項８】
バックライト駆動ユニット、第一の光源モジュール、第二の光源モジュール及び制御ユニットを含み、当該制御ユニットは電源の起動回数を計数し計数結果を生成するカウンターを有し、当該バックライト駆動ユニットは当該第一の光源モジュールと当該第二の光源モジュールを駆動するバックライト装置の制御方法であって、
第一回の電源起動を測定し、前記カウンターにより電源の起動回数を計数し計数結果を生成するＡステップと、
前記計数結果が奇数または偶数であるかを判断し、奇数である場合、Ｃステップに進み、偶数である場合、Ｄステップに進むＢステップと、
前記バックライト駆動ユニットを制御し、前記第一の光源モジュールをパワーオンに、前記第二の光源モジュールをパワーオフにする駆動指令を発させるＣステップと、
前記バックライト駆動ユニットを制御し、前記第二の光源モジュールをパワーオンに、前記第一の光源モジュールをパワーオフにする駆動指令を発させるＤステップと、
次回の電源起動を測定し、前記カウンターに継続に計数させ、Ｂステップに進むＥステップと、
を含む、
バックライト装置の制御方法。
【請求項９】
制御ユニットと、
前記制御ユニットに電気的に接続され、前記制御ユニットに制御されて駆動指令を発するバックライト駆動ユニットと、
前記バックライト駆動ユニットに電気的に接続される第一の光源ユニットと、
前記バックライト駆動ユニットに電気的に接続される第二の光源ユニットと、
を含み、
前記制御ユニットは、所定値により、前記第二の光源モジュールを制御し前記第一の光源モジュールを補償するかを決定し、光源全体の輝度を所定の範囲内に維持させる、
バックライト装置。
【請求項１０】
前記第一の光源モジュールと前記第二の光源モジュールの光源数が異なる、
請求項９に記載のバックライト装置。
【請求項１１】
前記所定値は、前記第一の光源モジュールの輝度が所定輝度に減衰する予想時間である減衰周期であり、
前記制御ユニットは、電力の供給時間を計時し計時結果を生成するタイマーを含み、
前記計時結果が前記減衰周期に達していない場合、前記バックライト駆動ユニットを制御し、前記第一の光源モジュールをパワーオンに、前記第二の光源モジュールをパワーオフにする駆動指令を発させ、
前記計時結果が前記減衰周期に達している場合、前記バックライト駆動ユニットを制御し、前記第一の光源モジュールと前記第二の光源モジュールを同時にパワーオンにする駆動指令を発させると共に、前記第二の光源モジュールに所定の輝度範囲内に前記第一の光源モジュールの輝度を補償させる、
請求項９に記載のバックライト装置。
【請求項１２】
前記第一の光源モジュールと前記第二の光源モジュールは、同じ平面に設置されない、
請求項９に記載のバックライト装置。
【請求項１３】
前記制御ユニットに電気的に接続され、光源モジュールの輝度を測定し測定結果を前記所定値として前記制御ユニットに出力する輝度測定ユニットをさらに含む、
請求項９に記載のバックライト装置。
【請求項１４】
前記制御ユニットにより前記所定値が所定の輝度値以上であると判断した場合、前記バックライト駆動ユニットを制御し、前記第一の光源モジュールをパワーオンに、前記第二の光源モジュールをパワーオフにする指令を発させ、
前記制御ユニットにより前記所定値が所定の輝度値より低いと判断した場合、前記バックライト駆動ユニットを制御し、前記第一の光源モジュールと前記第二の光源モジュールを同時にパワーオンにする駆動指令を発させると共に、前記第二の光源モジュールに所定の輝度範囲内に前記第一の光源モジュールの輝度を補償させる、
請求項１３に記載のバックライト装置。
【請求項１５】
バックライト駆動ユニット、第一の光源モジュール、第二の光源モジュール及び制御ユニットを含み、当該制御ユニットは、電力の供給時間を計時し累計時間を生成するタイマーを有し、当該バックライト駆動ユニットは、当該第一の光源モジュールと当該第二の光源モジュールを駆動するバックライト装置の制御方法であって、
第一回の電源起動を測定し、前記タイマーにより電力の供給時間を計時し累計時間を生成するＡステップと、
減衰周期の所定値を取得するＢステップと、
前記累計時間が前記所定値に達するかを判断し、前記累計時間が前記所定値に達していない場合、Ｄステップに進み、前記累計時間が前記所定値に達している場合、Ｅステップに進むＣステップと、
前記バックライト駆動ユニットを制御し、前記第一の光源モジュールをパワーオンに、前記第二の光源モジュールをパワーオフにする駆動指令を発させるＤステップと、
前記バックライト駆動ユニットを制御し、前記第一の光源モジュールと前記第二の光源モジュールを同時にパワーオンする駆動指令を発させると共に、前記第二の光源モジュールに所定の輝度範囲内に前記第一の光源モジュールを補償させる、
バックライト装置の制御方法。
【請求項１６】
電力供給が停止したと判断した時に、前記タイマーによる計時が一旦停止するＧステップと、
次回の電源起動を測定し、前記タイマーに継続に累計計時させ、Ｃステップに進むＨステップと、
をさらに含む、
請求項１５に記載のバックライト装置の制御方法。
【請求項１７】
バックライト駆動ユニット、第一の光源モジュール、第二の光源モジュール、制御ユニット及び輝度測定ユニットを含み、当該バックライト駆動ユニットは、当該第一の光源モジュールと当該第二の光源モジュールを駆動し、当該輝度測定ユニットは、光源の輝度を測定し測定結果を生成するバックライト装置の制御方法であって、
前記輝度測定ユニットにより光源の輝度を測定し測定結果を生成するＡステップと、
前記測定結果が所定値以上であるかを判断し、前記測定結果が当該所定値以上である場合、Ｃステップに進み、前記測定結果が当該所定値より低い場合、Ｄステップに進むＢステップと、
前記バックライト駆動ユニットを制御し、前記第一の光源モジュールをパワーオンに、前記第二の光源モジュールをパワーオフにする駆動指令を発させるＣステップと、
前記バックライト駆動ユニットを制御し、前記第二の光源モジュールをパワーオンに、前記第一の光源モジュールをパワーオフにする駆動指令を発させると共に、前記第二の光源モジュールに所定の輝度範囲内に前記第一の光源モジュールを補償させるＤステップと、
を含む、
バックライト装置の制御方法。
【発明の詳細な説明】
【技術分野】
【０００１】
本発明は、バックライト装置及びその制御方法に関し、特に、使用寿命を延長することができるバックライト装置及びその制御方法に関する。
【背景技術】
【０００２】
図１を参照する。従来のバックライト装置９は、複数の光源９１、バックライト駆動ユニット（Inverter）９２及び電源供給ユニット９３を含む。光源９１は、冷陰極管ランプを採用し、バックライト駆動ユニット９２は、電源供給ユニット９３と光源９１の間に接続される。
【０００３】
電力を提供する電源供給ユニット９３は、バックライト駆動ユニット９２の処理により光源９１を駆動し、電源９１からの光線をスクリーン（図示せず）に投射させ、これにより、十分な輝度を生じさせる。
【０００４】
しかし、光源９１の輝度が時間の増加につれて減衰する。一般的に、光源９１の輝度がその最高輝度の５０％まで減衰するときは、光源９１の使用寿命が終了することを示す。よって、如何にバックライト装置９の使用寿命を延長するかは、今の技術課題である。
【０００５】
従来の解決方法の一つは、光源９１のランプ電流を小さくし、光源９１の使用寿命を延長することである。しかし、この場合、輝度が小さくなり、また、調整可能な光の範囲も小さくなる。従来の解決方法のもう一つは、光源９１の数を増やし、輝度の問題を解決することである。しかし、この場合、光源による熱が増え、この熱が高すぎると周辺部品の寿命を短くさせることが可能である。
【発明の開示】
【発明が解決しようとする課題】
【０００６】
本発明の第一の目的は、システムによる時間区間の幅の所定値に基づいて光源モジュールを順番にオンまたはオフする方式により、使用寿命を延長することができるバックライト装置及びその制御方法を提供することにある。
【０００７】
本発明の第二の目的は、電源の起動回数に基づいて光源モジュールを順番にオンまたはオフする方式により、使用寿命を延長することができるバックライト装置及びその制御方法を提供することにある。
【０００８】
本発明の第三の目的は、システムによる減衰周期を提供し、当該減衰周期に達していない間に第一の光源モジュールをオンに、第二の光源モジュールをオフにし、そして、当該減衰周期に達してから第二の光源モジュールをオンにして、第一の光源モジュールの輝度不足を補償することにより、使用寿命を延長することができるバックライト装置及びその制御方法を提供することにある。
【０００９】
本発明の第四の目的は、輝度を自動的に測定し、当該輝度の測定結果が所定の輝度値より低いかを判定する輝度測定ユニットを提供し、前記所定の輝度値より低い場合、交替または補償の方式により、使用寿命を延長することができるバックライト装置及びその制御方法を提供することにある。
【課題を解決するための手段】
【００１０】
前記第一の目的と第二の目的を達成するために、本発明によるバックライト装置は、制御ユニット、バックライト駆動ユニット、第一の光源モジュール及び第二の光源モジュールを含む。
【００１１】
そのうち、前記制御ユニットは、各部品の動作を制御及び協調する。前記バックライト駆動ユニットは、前記制御ユニットに電気的に接続され、前記制御ユニットにより制御されて、光源モジュールをオンまたはオフにさせる駆動指令を発する。前記第一の光源モジュールは、前記バックライト駆動ユニットに電気的に接続され、前記駆動指令により駆動され、オンまたはオフする。前記第二の電源ユニットは、前記バックライト駆動ユニットに電気的に接続され、前記駆動指令により駆動され、オンまたはオフする。
【００１２】
これにより、前記制御ユニットは、所定値に基づいて前記バックライト駆動ユニットに駆動指令を発させ、第一、第二の光源モジュールを駆動することにより、前記バックライト装置の使用寿命を延長させる。
【００１３】
前記第三の目的を達成するために、本発明によるバックライト装置は、制御ユニット、バックライト駆動ユニット、第一の光源モジュール及び第二の光源モジュールを含む。
【００１４】
前記制御ユニットは、記憶ユニットに接続され、各部品の動作を制御及び協調する。前記バックライト駆動ユニットは、前記制御ユニットに電気的に接続され、前記制御ユニットにより制御されて光源モジュールをオンまたはオフにさせる駆動指令を発する。前記第一の光源モジュールは、前記バックライト駆動ユニットに電気的に接続され、前記駆動指令により駆動されてオンまたはオフする。前記第二の光源モジュールは、前記バックライト駆動ユニットに電気的に接続され、前記駆動指令により駆動されてオンまたはオフし、且つ、第一の光源モジュールと第二の光源モジュールは、同じ平面に設置されない。
【００１５】
これにより、前記制御ユニットは、所定値に基づいて、第二の光源モジュールの輝度により第一の光源モジュールの輝度不足を補償するかを決定し、光源全体の輝度を所定の範囲内に維持させる。
【００１６】
前記第四の目的を達成するために、本発明によるバックライト装置は、制御ユニット、バックライト駆動ユニット、第一の光源モジュール、第二の光源モジュール及び輝度測定ユニットを含む。
【００１７】
前記制御ユニットは、各部品の動作を制御及び協調する。前記バックライト駆動ユニットは、前記制御ユニットに電気的に接続され、前記制御ユニットにより制御され、光源モジュールをオンまたはオフにさせる駆動指令を発する。第一の光源モジュールは、前記バックライト駆動ユニットに電気的に接続され、前記駆動指令により駆動されてオンまたはオフする。第二の光源モジュールは、前記バックライト駆動ユニットに電気的に接続され、前記駆動指定により駆動されてオンまたはオフする。前記輝度測定ユニットは、前記制御ユニットに電気的に接続され、光源の輝度を測定し、その結果を前記制御ユニットに出力する。この輝度の測定結果は、バックライト駆動ユニットを制御し、駆動指令を発させるための根拠として用いられる。
【００１８】
これにより、前記制御ユニットは、前記輝度の測定結果と所定の輝度値との比較結果によって輝度が不足かを判断し、さらに、第二の光源モジュールの輝度で第一の光源モジュールの輝度不足を補償するかを判断及び制御し、光源全体の輝度を所定の範囲内に維持させることができる。
【発明の効果】
【００１９】
本発明は、使用寿命を延長することができるバックライト装置及びその制御方法を提供する。
【発明を実施するための最良の形態】
【００２０】
次に、添付した図面を参照しながら、本発明の好適な実施形態を詳細に説明する。なお、以下の説明内容には、類似する部品が同じ番号で表示される。
【００２１】
（１）、時間区間の幅による輝度不足の補償
図２を参照する。本発明の第一の好適な実施例におけるバックライト装置１００は、制御ユニット１２、電源供給ユニット１０、入力ユニット１４、記憶ユニット１３、バックライト駆動ユニット１１、第一の光源モジュール１５１及び第二の光源モジュール１５２を含む。
【００２２】
そのうち、制御ユニット１２は、電源供給ユニット１０、バックライト駆動ユニット１１、記憶ユニット１３及び入力ユニット１４に電気的に接続される。制御ユニット１２は、タイマー１２１を有する。タイマー１２１は、電源供給ユニット１０の電力供給時間を計時する。電源供給ユニット１０は、バックライト駆動ユニット１１に電力を供給する。
【００２３】
入力ユニット１４は、使用者により時間区間ｔの所定値を入力するために使用されるものである。制御ユニット１２は、その時間区間ｔの所定値を記憶ユニット１３に記憶させる。時間区間ｔは、システムにおける所定の値であっても良く、言い換えると、入力ユニット１４から入力されるものに限られない。時間区間ｔは、何時第一の光源モジュール１５１または第二の光源モジュール１５２を順番にオンにさせるかの根拠である。
【００２４】
バックライト駆動ユニット１１は、電源供給ユニット１０に電気的に接続される。制御ユニット１２、第一の光源モジュール１５１、第二の光源モジュール１５２、バックライトユニット１１は、制御ユニット１２により制御され、第一の光源モジュール１５１、第二の光源モジュール１５２をオンまたはオフにさせる駆動指令を発する。バックライト駆動ユニット１１は、複数のバックライト駆動器からなり、第一の光源モジュール１５１と第二の光源ユニット１５２をそれぞれ駆動する。第一の光源モジュール１５１と第二の光源モジュール１５２は、共にバックライト駆動ユニット１１に電気的に接続され、駆動指令により制御されてオンまたはオフする。各々の光源モジュールは、複数の光源を有し、この光源は、冷陰極管ランプ或いは発光ダイオードであっても良い。且つ、第一の光源モジュール１５１と第二の光源モジュール１５２は、バックライト装置に合わせて、直下ライト方式またはエッジライト方式を採用し、表示パネル（図示せず）の下方または側辺に設置される。
【００２５】
図３を参照する。第一の好適な実施例における制御方法について説明する。まず、制御ユニット１２は第一回の電源起動（ステップ３０１）を測定し、タイマー１２１は、電力供給時間を計時し始める（ステップ３０２）。次に、記憶ユニット１３から時間区間ｔの所定値を取得する（ステップ３０３）。
【００２６】
制御ユニット１２により測定された計時結果が時間区間ｔの倍数である場合（ステップ３０４）、さらに計時結果が時間区間ｔの奇数倍または偶数倍であるかを判断する（ステップ３０５）。計時結果が時間区間ｔの奇数倍であれば、制御ユニット１２は、バックライト駆動ユニット１１を制御し、第一の光源モジュール１５１をオンに、第二の光源モジュール１５２をオフにする駆動指令を発させる（ステップ３０６）。計時結果が時間区間ｔの偶数倍であれば、制御ユニット１２は、バックライト駆動ユニット１１を制御し、第二の光源モジュール１５２をオンに、第一の光源モジュール１５１をオフにする駆動指令を発させる（ステップ３０７）。
【００２７】
制御ユニット１２により電源供給ユニット１０からの電力供給が停止したことを測定する場合（ステップ３０８）、タイマー１２１の計時が停止し（ステップ３０９）する。そして、次の電源起動が測定される（ステップ３１０）と、タイマー１２１は、継続に累計計時し、ステップ３０４に進む。その後は、これに基づいて類推する。
【００２８】
前述したことによれば、第一の光源モジュール１５１と第二の光源モジュール１５２は、時間区間ｔを間隔として相互交替の方式でオンまたはオフするので、従来のバックライト装置１００の使用寿命を二倍延長することができる。
【００２９】
（２）、電源起動の回数による輝度不足の補償
図４を参照する。本発明の第二の好適な実施例におけるバックライト装置１２０は、第一の実施例とほぼ同様な部品を有するので、類似する部品については、前述した図２の説明を参照する。ここでは、その説明を省略する。
【００３０】
相違点は、第二の実施例の制御ユニット１２が電源供給ユニット１０の電源起動回数を累計計数するためのカウンター１２２を有し、累計計数された計数結果ｋが奇数または偶数であるかを判断し、それに応じて光源モジュールを順番にオンまたはオフにする方式によりバックライトの使用寿命を延長することにある。
【００３１】
図５を参照する。その制御方法について説明する。まず、制御ユニット１２は、第一回の電源起動を測定し（ステップ５０１）、カウンター１２２は、電源起動の回数を計数する（ステップ５０２）。次に、計数結果が奇数または偶数であるかを判断する（ステップ５０３）。計数結果が奇数であれば、バックライト駆動ユニット１１を制御し、第一の光源モジュール１５１をオンに、第二の光源モジュール１５２をオフにする駆動指令を発させる（ステップ５０４）。計数結果が偶数であれば、バックライト駆動ユニット１１を制御し、第二の光源モジュール１５２をオンに、第一の光源モジュールをオフにする駆動指令を発させる（ステップ５０５）。そして、次の電源起動が測定されると（ステップ５０６）、カウンター１２２により累計計数は継続に行い（ステップ５０７）、ステップ５０３に進む。その後は、これに基づいて類推する。
【００３２】
本実施例は、カウンター１２２により計数される電源の起動回数が奇数か偶数であることに基づいて、第一の光源モジュール１５１と第二の光源モジュール１５２を相互交替の方式でオンまたはオフにするので、バックライト装置１００の使用寿命を延長することもできる。
【００３３】
（３）減衰周期による輝度不足の補償
再び図２を参照する。本発明の第三の好適な実施例が有する部品は、第一の実施例とほぼ同じであるので、類似する部品については、前述した説明を参照する。ここでは、その説明を省略する。
【００３４】
相違点は、第三の実施例がシステムにより設定される減衰周期Tに基づくことにある。減衰周期Tは、光源モジュールの輝度値が予定の輝度値まで減衰する予想時間であり、選択される光源により異なる値を有し、具体的に言えば、光源製品の規格によるものである。以下、例を挙げて説明する。
【００３５】
図２と図６を参照する。図６は、光源輝度の減衰を示す図であり、その横軸は年を単位とする時間であり、その縦軸はパーセント（％）で表示される光源の輝度であり、その原点は、使用し始めたときに光源の輝度が１００％であることを示す。光源は、一定の使用寿命を有するので、その輝度は、時間の増加につれて減衰する。本実施例において、まず、減衰周期Tを設定し、この減衰周期T内には、第一の光源モジュール１５１が主な光源（曲線６１）として使用されるが、減衰周期Tに達した後には、第二の光源モジュール１５２が補助光源として用いられ、第一の光源モジュール１５１の輝度不足を補償し、これにより、光源全体の輝度を所定範囲（曲線６２）内に維持させることができる。第二の光源モジュール１５２が第一の光源モジュール１５１を補償する比率は、実際の状況によるが、一般的には、第二の光源モジュールがオンされた直後、画面の輝度が突然に上がることを避けるために、まず、第二の光源モジュール１５２の輝度を徐々に上げて、そして、第一の光源モジュール１５１の寿命が終了してから、第二の光源モジュール１５２の輝度を１００％にし、第二の光源モジュールを主な電源として使用させる。本実施例は、第二の光源モジュール１５２により第一の光源モジュール１５１の輝度不足を補償する方式により、輝度及び調整可能な光の範囲を保持しながら、バックライト装置に適当な輝度を長時間に維持させ、バックライト装置１００全体の使用寿命を延長することができる。
【００３６】
また、第一の光源モジュール１５１が減衰周期Tに達した後に、第一の光源モジュール１５１をオフに、第二の光源モジュール１５２をオンにし、第二の光源モジュールを主な光源として使用しても良い。さらに、第二の光源モジュール１５２は、その最高輝度が第一の光源モジュール１５１の最高輝度より低い光源（減衰曲線６３）を採用し、これにより、第二の光源モジュール１５２がオンにされた直後に画面の輝度が突然に上がることを防止できる。
【００３７】
図７を参照する。本実施例には、第一の光源モジュール１５１と第二の光源モジュール１５２が同じ平面に位置しないように配列され、且つ、第一の光源モジュール１５１と第二の光源モジュール１５２の組み立て用バックプレート１６が、同じ動作周波数を有するようにその二つの光源の高さに合わせて調整されることも可能である。これにより、二つの光源が互いに干渉を生じ画面に影響を与えることを防止できる。
【００３８】
また、第二の光源モジュール１５２が第一の光源モジュール１５１を補償するために用いられるものであるので、第二の光源モジュール１５２の数が第一の光源モジュール１５１の数より少なくなっても良い。即ち、第二の光源モジュール１５２が有する光源の数は、第一の光源モジュールが有する光源の数と等しくない。
【００３９】
図２と図８を参照する。第三の好適な実施例における制御方法とステップについて説明する。まず、バックライト装置１００の第一回の電源起動を測定し（ステップ７０１）、タイマー１２１により電力供給時間を計時する（ステップ７０２）。次に、減衰周期Tの所定値を取得する（ステップ７０３）。そして、累計時間が減衰周期Tに達するかを判断する（ステップ７０４）。減衰周期Tに達していなければ、バックライト駆動ユニット１１を駆動し、第一の光源モジュール１５１をオンに、第二の光源モジュール１５２をオンにする駆動指令を発させる（ステップ７０５）。減衰周期Tに達していれば、バックライト駆動ユニット１１を駆動し、第一、第二の光源モジュール１５１、１５２を同時にオンにすると共に、第二の光源モジュール１５２に所定の輝度範囲内において第一の光源モジュール１５１の輝度不足を補償させる（ステップ７０６）。
【００４０】
電力供給が停止したことが測定される場合（ステップ７０７）、タイマー１２１の計時が一旦停止する（ステップ７０８）。そして、次の電源起動が測定されると（ステップ７０９）、タイマー１２１は継続に計時し、ステップ７０４に進む。その後は、これに基づいて類推する。
【００４１】
前述したことによれば、第三の好適な実施例において、減衰周期Tに達したときに第二の光源モジュール１５２を用いて第一の光源モジュール１５１の輝度不足を補償し、光源全体の輝度を所定範囲内に維持させるので、バックライト装置１００の使用寿命を延長することができる。
【００４２】
（４）輝度の測定結果による輝度不足の補償
図９を参照する。本発明の第四の実施例には、バックライト装置１４０の一部の部品が第一の実施例と同じであるので、類似する部品、例えば、電源供給ユニット１０、バックライト駆動ユニット１１、制御ユニット１２、第一の光源モジュール１５１と第二の光源モジュール１５２については、図２に関する説明を参照する。ここでは、その説明を省略する。
【００４３】
相違点は、本好適な実施例がさらに輝度測定ユニット１８を含むことにある。輝度測定ユニット１８は、制御ユニット１２に電気的に接続され、光源モジュールの輝度を測定し、その結果を制御ユニット１２に出力するために用いられる。その輝度の測定結果は、バックライト駆動ユニット１１を制御し駆動指令を発させる根拠である。制御ユニット１２は、輝度の測定結果に基づいて輝度が十分かを判断し、そして、第二の光源モジュール１５２の輝度で第一の光源モジュール１５１の輝度不足を補償するかを決定し、バックライト装置１４０の使用寿命を延長する（この部分については、図６に関する前記説明を参照する）。
【００４４】
図９と図１０を参照する。その制御方法及びステップは、以下通りである。まず、バックライト装置１４０を起動したあとに、輝度測定ユニットにより輝度を測定し（ステップ８０１）、次に、制御ユニット１２によりその輝度の測定結果が所定値より低いかを判断する（ステップ８０２）。輝度の測定結果が所定値より低くなければ、バックライト駆動ユニット１１を制御し、第一の光源モジュール１５１をオンに、第二の光源ユニット１５２をオフにする駆動指令を発させる（ステップ８０３）。輝度の測定結果が所定値より低ければ、バックライトユニット１１を制御し、第一と第二の光源モジュールを同時オンにする駆動指令を発させると共に、表示機能が終わるまでに、第二の光源モジュール１５２に所定の輝度範囲内において第一の光源モジュール１５１の輝度を補償させる（ステップ８０４）。
【００４５】
ゆえに、本発明は、時間区間またな電源起動回数が奇数か偶数に基づいて第一、第二の光源モジュール１５１、１５２を交替にオンにすることにより、バックライト装置全体の使用寿命を延長することができる。または、減衰周期或いは輝度測定ユニット１８により測定された輝度値に達するかに基づいて、第二の光源モジュール１５２で第一の光源モジュール１５１の輝度不足を補償することにより、光源全体の輝度を所定の範囲内に維持させ、バックライト装置全体の使用寿命を延長することができる。
【００４６】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００４７】
【図１】従来の直下ライト方式液晶表示装置を説明するための回路ブロック図である。
【図２】本発明における、使用寿命を延長できるバックライト装置の第一と第三の好適な実施例を説明するための回路ブロック図である。
【図３】本発明の第一の好適な実施例における制御方法の各ステップを説明するためのフローチャートである。
【図４】本発明における、使用寿命を延長できるバックライト装置の第二の好適な実施例を説明するための回路ブロック図である。
【図５】本発明の第二の好適な実施例における制御方法の各ステップを説明するためのフローチャートである。
【図６】本発明の、使用寿命を延長できるバックライト装置の第三の好適な実施例において、第二の光源モジュールの出力輝度で第一の光源モジュールの輝度不足を補償し、光源全体の輝度を所定の範囲内に維持させることを説明するための曲線図である。
【図７】第三の好適な実施例において、第一の光源モジュールが第二の光源モジュールと異なる平面に設置され、且つ、第一、第二の光源モジュールのバックプレートが第二の光源モジュールの区間形態に合わせて適当に変化されても良いことを示す図である。
【図８】第三の好適な実施例における制御方法の各ステップを説明するためのフローチャートである。
【図９】本発明における、使用寿命を延長できるバックライト装置の第四の好適な実施例を説明するための回路ブロック図である。
【図１０】第四の好適な実施例における制御方法の各ステップを説明するためのフローチャートである。
【符号の説明】
【００４８】
１００、２０、１４０  バックライト装置
１０    電源供給ユニット
１１    バックライト駆動ユニット
１２    制御ユニット
１２１  タイマー
１２２  カウンター
１３    記憶ユニット
１４    入力ユニット
１５１  第一の光源モジュール
１５２  第二の光源モジュール
１６    バックプレート
１８    輝度測定ユニット
３０１〜３１１  ステップ
５１０〜５０７  ステップ
６１〜６３  曲線
７０１〜７１０  ステップ
８０１〜８０４  ステップ
【図１】
2007273462.tif 000003
【図２】
2007273462.tif 000004
【図３】
2007273462.tif 000005
【図４】
2007273462.tif 000006
【図５】
2007273462.tif 000007
【図６】
2007273462.tif 000008
【図７】
2007273462.tif 000009
【図８】
2007273462.tif 000010
【図９】
2007273462.tif 000011
【図１０】
2007273462.tif 000012